(57)【特許請求の範囲】
【請求項１】
原稿の表裏から同時に読取られた２つの画像データを画素単位で比較した比較結果に基づいて、前記２つの画像データのそれぞれにつき裏写りが発生している画素を検出する比較検出手段であって、前記２つの画像データを画素単位で比較するに際し、表面及び裏面の画像において対応する位置にある画素の明度及び色相の差分値を算出し、当該算出された差分値が所定の閾値以上であった場合には表裏の一方又は双方の画素を裏写りが発生している画素として検出する比較検出手段と、
前記比較検出手段により算出される明度及び色相の差分値に応じて補正量を定めたＬＵＴを記憶する記憶手段と、
前記比較検出手段により検出された裏写りが発生している画素に対し、前記記憶手段に記憶されているＬＵＴに基づいて、明度を加える補正、色相を色相環において一定方向だけ時計回り又は反時計回りに変更する補正、彩度の補正、のうち、明度について補正し、色相について補正し、色相及び彩度について補正し、又は、明度、色相及び彩度について補正する補正手段と、
を備えた画像処理装置。
【請求項２】
前記比較検出手段は、前記算出した明度及び色相の差分値について、前記明度の差分値が所定の閾値以上であって、前記色相の差分値が所定の閾値以下であった場合、比較対象とした前記２つの画像データにおける画素のうち、前記明度が明るい方の画素を裏写りが発生している画素として検出し、
前記補正手段は、前記検出された画素に対して明度を補正する請求項１に記載の画像処理装置。
【請求項３】
前記比較検出手段は、前記算出した明度及び色相の差分値について、前記明度の差分値が所定の閾値以下であって、前記色相の差分値が所定の閾値以上であった場合、前記色相が黄色領域の画素を裏写りが発生している画素として検出し、黄色領域の画素がない場合には前記原稿の両面に係る画素を裏写りが発生している画素として検出し、
前記補正手段は、前記検出された画素に対して色相及び彩度を補正する請求項１又は２に記載の画像処理装置。
【請求項４】
前記比較検出手段は、前記算出した明度及び色相の差分値について、前記明度の差分値が所定の閾値以上であって、前記色相の差分値が所定の閾値以上であった場合、比較対象とした前記２つの画像データにおける画素のうち、前記明度が明るい方の画素を裏写りが発生している画素として検出し、
前記補正手段は、前記検出された画素に対して明度、彩度及び色相を補正する請求項１〜３の何れか一項に記載の画像処理装置。
【請求項５】
前記比較検出手段は、比較対象とした前記２つの画像データにおける画素のうち、前記明度の明るい方の画素の明度が所定の基準値以下であって、明度の暗い方の画素の明度が所定の基準値以上である場合、前記明度の暗い方の画素についても裏写りが発生している画素として検出し、
前記補正手段は、前記検出された画素に対して明度、色相及び彩度を補正する請求項１〜４の何れか一項に記載の画像処理装置。
【請求項６】
前記補正手段は、前記比較検出手段により検出された裏写りが発生している画素に対し、裏写りの補正を行った後に当該画素と周辺画素の平均値を算出して平滑化処理を施す請求項１〜５の何れか一項に記載の画像処理装置。
【請求項７】
前記比較検出手段は、裏写りが発生している画素を検出するとともに裏写りが発生している領域及び当該領域のエッジ部に該当する画素を更に検出する請求項１〜６の何れか一項に記載の画像処理装置。
【請求項８】
前記補正手段は、前記エッジ部に該当する画素に対し、前記裏写りが発生している領域の内部及び外部の周辺画素の平均値を算出して平滑化処理を施す請求項７に記載の画像処理装置。
【請求項９】
前記裏写りが発生している画素の補正を指示するための操作手段を備える請求項１〜８の何れか一項に記載の画像処理装置。
【発明の詳細な説明】
【技術分野】
【０００１】
本発明は、画像処理装置に関する。
【背景技術】
【０００２】
近年、原稿の表裏にある画像を略同時に読取り、読取った画像データに対して画像処理を施すことが可能な同時読取方式が普及してきている。この同時読取方式によれば、原稿の片面ずつを読取る従来の方式よりも読取速度を向上させることができる。また、同時読取方式は原稿を反転させる動作を必要としないため、反転動作に伴う原稿の損傷を防ぐことができる。
【０００３】
ここで、上記同時読取方式の問題点として「裏写り」が挙げられる。裏写りとは、原稿の表裏を読取って得た画像データを画像形成した際に、原稿の一方の面に他方の面の画像が写り込むことをいう。
裏写りは、原稿の表裏にある画像を２つの読取部がそれぞれ読取る際に、原稿の一方の面に照射された光が原稿を透過して他方の面側にある読取部によって読取られてしまうことにより生じる。
【０００４】
上記裏写りを解消するには、原稿の表裏にある画像を読取部が読取った後、読取って得た画像データに対して適切な補正をすることが必要となる。
【０００５】
特許文献１によれば、読取部が原稿の一方の面から読み取った画像データのうち、他方の面から透過して得た分の画像データを削除する補正を行うことで裏写りを抑制する画像処理装置が開示されている。
具体的には、原稿の一方の面から透過して得た画像データに係る明度又は彩度の情報を他方の面側にある読取部が検出する。そして、他方の面側の読取部は、取得した画像データのうちから上記検出した明度又は彩度の情報を削除する。更に、検出した明度又は彩度の情報に基づき、上記削除処理済みの画像データに対して明度又は彩度を補正することにより、裏写りの抑制を図っている。
【特許文献１】特開２００１−３１３８３０号公報
【発明の開示】
【発明が解決しようとする課題】
【０００６】
しかし、特許文献１に記載の画像処理装置では、着色されている用紙を用いた原稿に対して裏写り抑制のための補正処理を施すと、必要な情報まで削除してしまうこととなる。なぜなら、読取部が原稿の一方の面側から透過して得た画像データには原稿の下地の色についての情報が含まれ、この下地の色に係る明度又は彩度の情報についても読取部が得た全画像データから削除してしまうためである。
【０００７】
また、原稿の一方の面側から透過してきた明度又は彩度の情報について補正を行うことで裏写りを抑制することとしているが、色相差の情報は検出されない。よって、色相差を原因とした裏写りに対しては補正することができない。
【０００８】
本発明の課題は、読取対象面から得た画像データを損なうことなく明度、色相及び彩度の情報に基づき裏写りを抑制し得る画像処理装置を提供することである。
【課題を解決するための手段】
【０００９】
請求項１に記載の発明によれば、原稿の表裏から同時に読取られた２つの画像データを画素単位で比較した比較結果に基づいて、前記２つの画像データのそれぞれにつき裏写りが発生している画素を検出する比較検出手段であって、前記２つの画像データを画素単位で比較するに際し、表面及び裏面の画像において対応する位置にある画素の明度及び色相の差分値を算出し、当該算出された差分値が所定の閾値以上であった場合には表裏の一方又は双方の画素を裏写りが発生している画素として検出する比較検出手段と、
前記比較検出手段により算出される明度及び色相の差分値に応じて補正量を定めたＬＵＴを記憶する記憶手段と、
前記比較検出手段により検出された裏写りが発生している画素に対し、前記記憶手段に記憶されているＬＵＴに基づいて、明度を加える補正、色相を色相環において一定方向だけ時計回り又は反時計回りに変更する補正、彩度の補正、のうち、明度について補正し、色相について補正し、色相及び彩度について補正し、又は、明度、色相及び彩度について補正する補正手段と、
を備えた画像処理装置が提供される。
【００１１】
請求項２に記載の発明によれば、請求項１に記載の発明において、前記比較検出手段は、前記算出した明度及び色相の差分値について、前記明度の差分値が所定の閾値以上であって、前記色相の差分値が所定の閾値以下であった場合、比較対象とした前記２つの画像データにおける画素のうち、前記明度が明るい方の画素を裏写りが発生している画素として検出し、
前記補正手段は、前記検出された画素に対して明度を補正する画像処理装置が提供される。
【００１２】
請求項３に記載の発明によれば、請求項１又は２に記載の発明において、前記比較検出手段は、前記算出した明度及び色相の差分値について、前記明度の差分値が所定の閾値以下であって、前記色相の差分値が所定の閾値以上であった場合、前記色相が黄色領域の画素を裏写りが発生している画素として検出し、黄色領域の画素がない場合には前記原稿の両面に係る画素を裏写りが発生している画素として検出し、
前記補正手段は、前記検出された画素に対して色相及び彩度を補正する画像処理装置が提供される。     
【００１３】
請求項４に記載の発明によれば、請求項１〜３の何れか一項に記載の発明において、前記比較検出手段は、前記算出した明度及び色相の差分値について、前記明度の差分値が所定の閾値以上であって、前記色相の差分値が所定の閾値以上であった場合、比較対象とした前記２つの画像データにおける画素のうち、前記明度が明るい方の画素を裏写りが発生している画素として検出し、
前記補正手段は、前記検出された画素に対して明度、彩度及び色相を補正する画像処理装置が提供される。 
【００１４】
請求項５に記載の発明によれば、請求項１〜４の何れか一項に記載の発明において、前記比較検出手段は、比較対象とした前記２つの画像データにおける画素のうち、前記明度の明るい方の画素の明度が所定の基準値以下であって、明度の暗い方の画素の明度が所定の基準値以上である場合、前記明度の暗い方の画素についても裏写りが発生している画素として検出し、
前記補正手段は、前記検出された画素に対して明度、色相及び彩度を補正する画像処理装置が提供される。     
【００１６】
請求項６に記載の発明によれば、請求項１〜５の何れか一項に記載の発明において、前記補正手段は、前記比較検出手段により検出された裏写りが発生している画素に対し、裏写りの補正を行った後に当該画素と周辺画素の平均値を算出して平滑化処理を施す画像処理装置が提供される。  
【００１７】
請求項７に記載の発明によれば、請求項１〜６の何れか一項に記載の発明において、前記比較検出手段は、裏写りが発生している画素を検出するとともに裏写りが発生している領域及び当該領域のエッジ部に該当する画素を更に検出する画像処理装置が提供される。
【００１８】
請求項８に記載の発明によれば、請求項７に記載の発明において、前記補正手段は、前記エッジ部に該当する画素に対し、前記裏写りが発生している領域の内部及び外部の周辺画素の平均値を算出して平滑化処理を施す画像処理装置が提供される。
【００１９】
請求項９に記載の発明によれば、請求項１〜８の何れか一項に記載の発明において、前記裏写りが発生している画素の補正を指示するための操作手段を備える画像処理装置が提供される。                                                                  
【発明の効果】
【００２０】
本発明によれば、同時読取り方式により読取部が読取った２つの画像データを比較して、明度、色相の情報に基づき裏写りが発生している画素を検出することができる。そして、検出した画素の明度、色相及び彩度を補正することができる。
これにより、読取対象面から得た画像データを損なうことなく同時読取方式において裏写りの問題を解消することが可能である。
【発明を実施するための最良の形態】
【００２１】
以下、本発明による画像処理装置について、最適な実施形態の構成及び動作について図面を用いて詳細に説明する。
【００２２】
図１に、本実施形態に係る画像処理装置１００の機能ブロック図を示す。
画像処理装置１００は、自動原稿搬送部１０、第１画像読取部２１及び第２画像読取部２２、第１ページメモリ３１及び第２ページメモリ３２、第１色彩演算部４１及び第２色彩演算部４２、比較検出部５０、裏写り補正部６０、制御部７０、記憶部８０を備えて構成される。
【００２３】
自動原稿搬送部１０は、原稿トレイ、導入ローラ対、給送ローラ対、プラテンガラス、排出ローラ対、排出トレイ等を備えて構成される（何れも図示省略）。
自動原稿搬送部１０は、制御部７０の制御に従って、第１画像読取部２１及び第２画像読取部２２が読取可能な速度及びタイミングで原稿を所定の経路上で搬送する。
【００２４】
第１画像読取部２１及び第２画像読取部２２は、光源、ロッドレンズアレイ、ＣＩＳ（Contact Image Sensor）等を備えて構成される。なお、２つの画像読取部の構成が異なることとしてもよく、例えば第２画像読取部２２は、走査光源部、走査ミラー部、結像レンズ、ＣＣＤイメージセンサ等を備えて構成されるとしてもよい（何れも図示省略）。
【００２５】
第１画像読取部２１及び第２画像読取部２２は、自動原稿搬送部１０にセットされた原稿を挟んで対向した位置に配置される。これ以降、第１画像読取部２１は原稿の表面、第２画像読取部２２は原稿の裏面の画像を読み取ることとして説明する。
【００２６】
第１画像読取部２１は、原稿の表面の画像を読み取り、読み取った画像信号（アナログ信号）に対してオフセット補正等の必要な処理を施す。その後、この画像信号をＡ／Ｄ変換部（図示省略）によりデジタル信号へ変換して画像データを生成する。
そして、第１画像読取部２１は、生成した画像データを第１ページメモリ３１へ出力する。なお、第２画像読取部２２も同様にして、原稿の裏面の画像データを第２ページメモリ３２へ出力する。
【００２７】
第１ページメモリ３１は、第１画像読取部２１から出力された原稿の表面に係る画像データを一時的に格納する。なお、第２ページメモリ３２は、第２画像読取部２２から出力された原稿の裏面に係る画像データを格納する。
【００２８】
第１色彩演算部４１は、第１ページメモリ３１から出力された原稿の表面に係る画像データに対して、色彩についての測色を行う。
色彩とは、明度、色相及び彩度の３つの要素を含むものであって、測色とはそれぞれを各種表色系により数値化することをいう。
表色系とは、一般に、物体の色や光源の色を数値や記号で表現する方法をいい、例えばマンセル表色系、Ｌ＊ａ＊ｂ＊表色系、Ｌ＊Ｃ＊ｈ表色系、ハンターＬａｂ表色系及びＸＹＺ（Ｙｘｙ）表色系等がある。なお、本実施形態においてはＬ＊ａ＊ｂ＊表色系を採用しているが、何れの表色系を採用してもよい。
第２色彩演算部４２も同様に、原稿の裏面に係る画像データに対して色彩の算出を行う。
【００２９】
比較検出部５０は、第１色彩演算部４１及び第２色彩演算部４２から出力された原稿の表裏に係る２つの画像データを画素単位で比較することにより、裏写りが発生している画素（以下、「裏写り発生画素」という）を検出する。
具体的には、比較検出部５０は、比較した表裏に係る２つの画素の明度及び色相の差分値を算出し、算出した差分値が所定の閾値以上か否かを判断する。所定の閾値は、記憶部８０に閾値情報として予め記憶されているものとする。そして、差分値が閾値以上であれば、比較した２つの画素のうち一方を裏写り発生画素として検出する。検出する画素は、０〜１００を範囲とする明度のうち値の大きい方、つまり明るい方の画素であって、色相については色相環において黄色に近い方の画素である。
【００３０】
裏写り補正部６０は、比較検出部５０が検出した裏写り発生画素に対して明度、色相及び彩度についての補正を行う。なお、裏写り補正部６０は、記憶部８０が予め格納しているＬＵＴ（Look-Up Table）に基づいて補正を行う。ＬＵＴには、比較検出部５０が算出する差分値に応じた補正量が定められている。
【００３１】
制御部７０は、ＣＰＵ、ＲＯＭ、ＲＡＭ、メモリ、モータドライバ、光源ドライバ等を備えて構成される（何れも図示省略）。
また、制御部７０は、自動原稿搬送部１０、第１画像読取部２１及び第２画像読取部２２、第１ページメモリ３１及び第２ページメモリ３２、第１色彩演算部４１及び第２色彩演算部４２、比較検出部５０、裏写り補正部６０における処理を統括的に制御する。
記憶部８０は、各種プログラムやプログラムを実行した際に取得したデータ等を記憶する。また、比較検出部５０が検出する際に必要とする閾値や基準値のデータ及び補正量を定めたＬＵＴについても記憶する。
【００３２】
次に、図２を参照して、本実施形態における画像処理装置１００の動作について説明する。
【００３３】
自動原稿搬送部１０は、制御部７０の指示に従って、原稿を搬送経路上で所定の距離だけ搬送する。その際、制御部７０は、第１画像読取部２１及び第２画像読取部２２に原稿の表裏の画像を読取らせる（ステップＳ１）。
【００３４】
第１画像読取部２１は、制御部７０の指示に従って、読取ったアナログ信号からなる画像信号に対してオフセット補正、増幅補正、雑音除去等の信号処理を行う。
その後、第１画像読取部２１は各種信号処理を施した画像信号をＡ／Ｄ変換して、原稿の表面に係る画像データを生成する。第２画像読取部２２も同様にして、原稿の裏面に係る画像データを生成する。
【００３５】
第１画像読取部２１及び第２画像読取部２２は、生成した画像データを第１ページメモリ３１及び第２ページメモリ３２に出力する（ステップＳ２）。
第１ページメモリ３１及び第２ページメモリ３２は、一時的に画像データを格納する。その後、第１色彩演算部４１及び第２色彩演算部４２に画像データを出力する。
【００３６】
第１色彩演算部４１は、制御部７０の指示に従って、第１ページメモリ３１から出力された原稿の表面に係る画像データに対し明度、色相及び彩度を算出する（ステップＳ３）。
第２色彩演算部４２も同様に、原稿の裏面に係る画像データの明度、色相及び彩度を算出する。
【００３７】
第１色彩演算部４１及び第２色彩演算部４２は、算出した原稿の表裏に係る２つの画像データの明度、色相及び彩度についての情報を画素ごとに、それぞれ比較検出部５０へ出力する。
【００３８】
比較検出部５０は、制御部７０の指示に従って、第１色彩演算部４１及び第２色彩演算部４２から出力された原稿の表裏に係る画像データの明度、色相及び彩度のうち、明度及び色相を画素ごとに比較する。なお、比較検出部５０が２つの画素を比較した結果は、明度及び色相の差分値となる（ステップＳ４）。
【００３９】
図３に、比較対象となる２つの画素について示す。
比較検出部５０が比較する２つの画素は、原稿の表面の画素と当該画素に対応する原稿の裏面の画素となる。比較検出部５０は、２つの画素の明度及び色相をそれぞれ算出し、算出した明度及び色相を比較して差分値を更に算出する。
【００４０】
比較検出部５０は、算出した原稿の表裏に係る画像データの明度及び色相の差分値が所定の閾値以上であるか否かについて、判断する（ステップＳ５）。
比較検出部５０は、明度又は色相の差分値が閾値以上でないと判断した場合（ステップＳ５；ＮＯ）、本処理を終了する。
【００４１】
一方、比較検出部５０は、明度又は色相の差分値が閾値以上であると判断した場合（ステップＳ５；ＹＥＳ）、次の処理へと移行する。
ここで、判断基準となる閾値は、実験的に求めたものが記憶部８０に予め記憶されていることとしてもよいし、ユーザが操作部（図示省略）から任意に設定可能としてもよい。また、原稿に用いる用紙の厚さによって異なる閾値を用いることとしてもよい。
【００４２】
図４に、明度及び色相の差分値が閾値以上となる画素を含んだ原稿の一例を示す。
原稿の表面の画素Ｌ１が黒（明度＝０）であって、裏面の対応する画素Ｌ２が薄いグレー（明度＝９６）である場合、明度の差分値は「９６」となる。閾値が「５０」に設定されている場合、明度の差分値が閾値以上となるから、後述するステップＳ６において裏写り補正部６０は裏写り発生画素に対して明度に係る裏写り補正を行うこととなる。（図４では、裏写り発生画素に対して裏写り補正が施されていないため、明度の値が大きい画素、つまり薄いグレーの方の画素がそのまま画像形成されて裏写りが発生している。）
【００４３】
また、原稿の表面の画素ａｂ１が黄色（色相＝１００°）であって、裏面の画素ａｂ２が青色（色相＝２７０°）である場合、色相の差分値は「１７０°」となる。閾値が「９０°」に設定されている場合、色相の差分値が閾値以上となるから、この場合についても後述のステップＳ６において、裏写り補正部６０は裏写り発生画素に対して色相に係る裏写り補正を行うこととなる。（図４では、裏写り発生画素に対して裏写り補正が施されていないため、色相が黄色に近い画素に裏写りが発生している。）
なお、色相については、色相環において黄色に近いほど裏写りし易く、黄色に遠ざかるほど裏写りし難い。
【００４４】
図２に戻り、比較検出部５０は、検出した裏写り発生画素に関する情報を裏写り補正部６０に出力する。裏写り補正部６０は、受信した情報に基づき裏写り補正を実行する（ステップＳ６）。
裏写り補正部６０は、裏写り発生画素に対して明度、色相及び彩度の何れかについて補正を行う。
以下、比較検出部５０が検出する裏写り発生画素及び裏写り補正部６０が裏写り発生画素に対して行う明度、色相及び彩度の補正について説明する。
【００４５】
明度の差分値が閾値以下であって、色相の差分値が閾値以上である場合、比較検出部５０は比較対象とした２つの画素のうち、何れか又は双方の画素を裏写り発生画素として検出する。そして、裏写り補正部６０は検出された裏写り発生画素について補正を行う。
【００４６】
ここで、図５に、色相環における２つの画素の位置を示す。
比較検出部５０が裏写り発生画素として検出した画素ａｂ１は、黄色方向周辺に位置する。一方、裏写りを発生させる画素ａｂ２は青色方向周辺に位置する。また、画素ａｂ１及び画素ａｂ２の色相は、赤色方向を基準とした場合、画素ａｂ１は１００°となり、画素ａｂ２は２７０°となる。比較検出部５０は、比較対象とした２つの画素のうち、何れかに黄色領域（７５°〜１０５°内）の色相があれば当該画素を裏写り発生画素として検出する。一方、何れの画素も黄色領域の色相がなければ両画素を裏写り発生画素として検出する。裏写り補正部６０は、検出された裏写り発生画素に対し色相及び彩度の補正を行う。     
【００４７】
明度の差分値が閾値以上であって、かつ、色相の差分値が閾値以上である場合、比較検出部５０は比較対象とした２つの画素のうち、明度が明るい方の画素を裏写り発生画素として検出する。そして、裏写り補正部６０は裏写り発生画素に対し明度、色相及び彩度について補正を行う。
また、明度の明るい方の画素が第１基準値（明度＝５０〜７５）以下であって、明度の暗い方の画素が第２基準値（明度＝２５〜５０）以上である場合、明度の暗い方の画素も色相を要因とした裏写りが発生する可能性がある。よって、この場合において比較検出部５０は、両画素を裏写り発生画素として検出する。そして、裏写り補正部６０は、裏写り発生画素に対し明度、色相及び彩度について補正を行う。
【００４８】
上記の明度及び色相の差分値と閾値との関係における補正量は、記憶部８０が予め記憶するＬＵＴに基づいて定められる。ＬＵＴには、明度の差分値が大きいほど補正量を大きくし、差分値が小さいほど補正量を小さくするように定められている。また、原稿に用いる用紙が厚いほど補正量を小さくし、薄いほど補正量を大きくするＬＵＴを裏写り補正部６０が格納しているとしてもよい。
なお、色相の差分値と閾値との関係における補正量については、後述する。
【００４９】
色相の差分値と閾値との関係における補正量は、裏写り発生画素を黄色に近づけるように定められている。
具体的には、ＬＵＴには、比較対象となる画素の色相の差分値が１８０°以上であれば裏写り発生画素の色相をマイナス方向に補正し、色相の差分値が１８０°以下であれば裏写り発生画素の色相をプラス方向に補正するように定められている。
例えば、図５の場合、差分値は１７０°であるからＬＵＴには画素ａｂ１に対してプラス方向に補正するよう定められている。なお、色領域ごとに補正量の大きさを変更した複数のＬＵＴを用意し、裏写り補正部６０が裏写りを発生させる画素ａｂ２の色相を参照してＬＵＴを選択することとしてもよい。
【００５０】
また、裏写り補正部６０は、裏写り発生画素に対して平滑化処理を行う。平滑化処理は、裏写り発生画素を補正した後に行われることとしてもよいし、平滑化時に算出した裏写り発生画素周辺の画素の平均値に、補正値を加算して行われることとしてもよい。また、比較検出部５０は裏写り発生画素のみならず、その周辺の画素を裏写り発生領域として検出することができる。この場合、裏写り補正部６０は裏写り発生領域のエッジ部に該当する画素に対して平滑化処理を行うこととしてもよい。エッジ部の画素を平滑化処理することで、裏写り補正部６０が裏写りの補正を行うことにより生じた輪郭やトーンジャンプを抑制することができる。
【００５１】
上記してきた裏写り補正部６０による裏写りの補正は、原稿の表裏に画像がある場合を前提としているが、必ずしもこの場合に限らない。例えば、操作手段を備える画像処理装置１００として、ユーザが操作手段を介して裏写りの補正を実施するか否かについて選択可能としてもよい。この場合、原稿の表面のみに画像がある場合でも、制御部７０は第２画像読取部２２に原稿の裏面の画像データを生成させ、裏写り補正部６０に裏写り補正を施すように指示する。
制御部７０は、裏写り補正部６０に必要な補正処理を実行させた後、本処理を終了する。
【００５２】
以上のように、本実施形態によれば、原稿の表裏に係る２つの画像データを比較することで正確に裏写り発生画素を検出することができる。裏写り発生画素を検出した後、当該画素に対して明度、色相及び彩度の少なくとも何れかについて補正を施す。このとき施す補正は、元の画像データに係る明度、色相及び彩度を予測したものである。よって、読取対象面から得た画像データを損なうことなく、裏写りの補正を行うことができる。
【００５３】
また、裏写り発生画素を検出するに際して、原稿の表裏で対応する２つの画素の明度及び色相の差分値を算出する手法を採用する。これにより、簡単な演算で裏写り発生画素を検出することができる。
【００５４】
また、裏写り発生画素の要因が比較対象とした画素の明度差によるものである場合、当該画素に対して正確な裏写りの補正を行うことができる。
【００５５】
また、裏写り発生画素の要因が比較対象とした画素の色相差によるものである場合、当該画素に対して正確な裏写りの補正を行うことができる。
【００５６】
また、裏写り発生画素の要因が比較対象とした画素の明度差及び色相差によるものである場合、当該画素に対して正確な裏写りの補正を行うことができる。
【００５７】
また、裏写りの補正を行うに際して、補正量はＬＵＴに基づき定められている。つまり、裏写り発生画素が裏写りする程度の大小に応じて補正量が異なる。よって、一定の補正量により画一的な補正が行われることはなく、読取対象面から得た画像データを損なうことなく裏写りの補正を行うことができる。
【００５８】
また、裏写りの補正を行った後の画素の明度、色相及び彩度の情報に基づいて、当該画素の周辺画素について平滑化処理を行うことができる。これにより、読取対象面の画像データを損なうことなく裏写りの補正を行うことができるとともに、裏写りの補正により生じる輪郭やトーンジャンプを防止することができる。
【００５９】
また、裏写り発生画素のみならず、その周辺の裏写り発生領域及び当該領域のエッジ部に該当する画素を正確に検出することができる。
【００６０】
また、裏写り発生領域のエッジ部に該当する画素に対して平滑化処理を行うことができる。これにより、裏写りの補正により生じる輪郭やトーンジャンプを防止することができる。
【００６１】
また、操作手段を備えることとして、ユーザが裏写りの補正を行うか否かについて任意に選択可能とすることとしてもよい。
【図面の簡単な説明】
【００６２】
【図１】画像処理装置の機能ブロック図である。
【図２】画像処理装置の動作を示すフローチャートである。
【図３】比較対象となる２つの画素の位置関係を示す図である。
【図４】明度差及び色相差が閾値以上で裏写りが発生した原稿の一例を示す図である。
【図５】裏写り発生画素を補正する方向について説明した色相環を示す図である。
【符号の説明】
【００６３】
１００  画像処理装置
１０    自動原稿搬送部
２１    第１画像読取部
２２    第２画像読取部
３１    第１ページメモリ
３２    第２ページメモリ
４１    第１色彩演算部
４２    第２色彩演算部
５０    比較検出部
６０    裏写り補正部
７０    制御部
８０    記憶部
【図１】
0004544311.tif 000002
【図２】
0004544311.tif 000003
【図３】
0004544311.tif 000004
【図４】
0004544311.tif 000005
【図５】
0004544311.tif 000006